(57)【特許請求の範囲】
【請求項１】
原稿から画像データを読み取る読取手段と、
前記画像データに基づいて画像形成を行う画像形成手段と、
前記原稿の読み取りに関わる設定項目の選択可能な複数の設定内容のうちのいずれかを選択する入力を受け付ける原稿設定入力手段と、
前記画像形成に関わる設定項目の選択可能な複数の設定内容のうちのいずれかを選択する入力を受け付ける画像形成設定入力手段と、
前記原稿の読み取りに関わる設定項目の選択可能な複数の設定内容と、これら複数の設定内容ごとの複数の原稿イメージと、前記画像形成に関わる設定項目の選択可能な複数の設定内容と、前記原稿の読み取りに関わる設定項目の選択可能な複数の設定内容および前記画像形成に関わる設定項目の選択可能な複数の設定内容の組み合わせごとの複数の仕上がりイメージとを対応付けて表す仕上がり確認画像を印刷して出力する仕上がり確認画像印刷手段と、を備えることを特徴とする画像形成装置。
【請求項２】
前記仕上がり確認画像印刷手段は、前記原稿設定入力手段と前記画像形成設定入力手段の少なくとも一方が、少なくとも一つの設定項目に対して設定内容を選択する入力を受け付けた場合、設定内容が選択された設定項目について、選択された設定内容以外の他の設定内容に対応する原稿イメージまたは仕上がりイメージを含まない前記仕上がり確認画像を印刷して出力することを特徴とする請求項１に記載の画像形成装置。
【請求項３】
前記原稿の読み取りに関わる設定項目は、前記読取手段に前記原稿をセットする際のセット方向を含むことを特徴とする請求項１または２に記載の画像形成装置。
【発明の詳細な説明】
【技術分野】
【０００１】
本発明は、画像データに基づいて画像形成を行う画像形成装置に関する。
【背景技術】
【０００２】
画像データに基づいて画像形成を行う画像形成装置は、近年の多機能化に伴って、変倍／集約／両面印刷などの編集機能や、ステープル／パンチ／折りなどの後処理機能等が搭載され、様々な組み合わせで画像形成処理が行えるようになっている。このため所望の画像形成を行うための設定が複雑になってきている。
【０００３】
このような設定の複雑化に対応して、ユーザが所望する画像形成を適切に行えるようにするために、仕上がりイメージをプレビュー画像として表示する画像形成装置が提案されている。例えば、特許文献１には、変倍複写の際の仕上がりイメージを表示する画像形成装置が記載されている。また、特許文献２には、ページ連写や拡大連写を行う際の仕上がりイメージを表示する画像形成装置が記載されている。また、特許文献３には、ステープル処理を行う際の仕上がりイメージを表示する画像形成装置が記載されている。また、特許文献４には、折り処理を行う際の仕上がりイメージを表示する画像形成装置が記載されている。
【先行技術文献】
【特許文献】
【０００４】
【特許文献１】特開２００４−７７６１６号公報
【特許文献２】特許第３５４２４２８号公報
【特許文献３】特開２００７−３６８０９号公報
【特許文献４】特開２００７−２０１７６１号公報
【発明の概要】
【発明が解決しようとする課題】
【０００５】
しかしながら、仕上がりイメージをプレビュー画像として表示する従来の画像形成装置では、仕上がりイメージを表示するための高精細な表示部が必要とされるため、装置のコストアップになってしまうという問題がある。逆に言えば、表示部に安価なキャラクタディスプレイを採用することができないという問題がある。
【０００６】
本発明は、上記に鑑みてなされたものであって、高精細な表示部を必要とすることなく、仕上がりイメージをユーザが確認できるようにし、所望の画像形成を行うための設定を容易に行えるようにした画像形成装置を提供することを目的とする。
【課題を解決するための手段】
【０００７】
上述した課題を解決し、目的を達成するために、本発明にかかる画像形成装置は、原稿から画像データを読み取る読取手段と、前記画像データに基づいて画像形成を行う画像形成手段と、前記原稿の読み取りに関わる設定項目の選択可能な複数の設定内容のうちのいずれかを選択する入力を受け付ける原稿設定入力手段と、前記画像形成に関わる設定項目の選択可能な複数の設定内容のうちのいずれかを選択する入力を受け付ける画像形成設定入力手段と、前記原稿の読み取りに関わる設定項目の選択可能な複数の設定内容と、これら複数の設定内容ごとの複数の原稿イメージと、前記画像形成に関わる設定項目の選択可能な複数の設定内容と、前記原稿の読み取りに関わる設定項目の選択可能な複数の設定内容および前記画像形成に関わる設定項目の選択可能な複数の設定内容の組み合わせごとの複数の仕上がりイメージとを対応付けて表す仕上がり確認画像を印刷して出力する仕上がり確認画像印刷手段と、を備えることを特徴とする。
【発明の効果】
【０００８】
本発明によれば、入力手段が受け付ける設定内容と該設定内容に従って画像形成を行った場合の仕上がりイメージとを対応付けて表す仕上がり確認画像を印刷して出力するようにしているので、高精細な表示部を必要とすることなく、入力する設定内容に対する仕上がりイメージをユーザに確認させることができ、所望の画像形成を行うための設定を容易に行えるようにすることができるという効果を奏する。
【図面の簡単な説明】
【０００９】
【図１】図１は、実施の形態にかかる複写機の概略構成を示すブロック図である。
【図２】図２は、実施の形態にかかる複写機が備える操作パネルの一例を示す図である。
【図３】図３は、両面印刷を行う場合の原稿読み取りと画像形成に関わる設定項目の一覧を示した図である。
【図４】図４は、仕上がり確認画像の一例を示す図である。
【図５】図５は、仕上がり確認画像の印刷に関わる制御部の機能構成を示す機能ブロック図である。
【発明を実施するための形態】
【００１０】
以下に添付図面を参照して、この発明にかかる画像形成装置の最良な実施の形態を詳細に説明する。なお、以下で説明する実施の形態は、原稿の画像データを読み取るスキャナとスキャナで読み取った画像データに基づいて記録紙に画像を印刷するプリンタとを備えた複写機に対して本発明を適用した例である。
【００１１】
（複写機の構成）
図１は、本実施の形態にかかる複写機の概略構成を示すブロック図である。本実施の形態にかかる複写機は、図１に示すように、スキャナ１０１、プリンタ１０２、画像処理部１０３、画像メモリ１０４、操作パネル１０５、制御部１０６、ＲＯＭ１０７およびＲＡＭ１０８を備え、これら各部がバス１０９により相互に接続された構成である。
【００１２】
スキャナ１０１は、ＣＣＤ（Ｃｈａｒｇｅ  Ｃｏｕｐｌｅｄ  Ｄｅｖｉｃｅ）もしくはＣＩＳ（Ｃｏｎｔａｃｔ  Ｉｍａｇｅ  Ｓｅｎｓｏｒ）を用いたイメージスキャナ等の画像読取装置であり、原稿を走査して、原稿の画像データを所定の解像度で読み取る。
【００１３】
プリンタ１０２は、電子写真方式もしくはインクジェット方式の画像記録装置であり、スキャナ１０１によって読み取られた原稿の画像データに基づいて、トナーやインクによって記録紙に画像を印刷する。また、図示しないが、プリンタ１０２には記録紙の反転機構が接続されている。両面印刷を行う場合は、この反転機構により記録紙が反転され、記録紙の両面への印刷が行われる。また、これも図示しないが、プリンタ１０２には記録紙の後処理機構が接続されている。プリンタ１０２から印刷済みの記録紙が後処理装置に供給されると、この後処理装置によって記録紙へのステープル処理やパンチ処理などの後処理が行われる。
【００１４】
画像処理部１０３は、制御部１０６による制御のもとで、スキャナ１０１によって読み取られた原稿の画像データに対して、黒補正やシェーディング補正などの所定の画像処理を行う。また、画像処理部１０３は、制御部１０６による制御のもとで、例えば両面印刷に必要な画像データの変倍や回転などの各種の画像編集処理を実施する。
【００１５】
画像メモリ１０４には、スキャナ１０１、プリンタ１０２、画像処理部１０３が処理を行う画像データが格納される。
【００１６】
操作パネル１０５は、操作キーと表示部により構成され、ユーザの操作入力の受け付けと、ユーザに対する複写機の状態通知などを行う。
【００１７】
図２は、本実施の形態にかかる複写機が備える操作パネル１０５の一例を示す図である。この操作パネル１０５は、文字や記号のみの表示が可能なキャラクタディスプレイ１１１と、このキャラクタディスプレイ１１１上のカーソルを上下左右に移動させるためのカーソルキー１１２と、Ｙｅｓボタン１１３およびＮｏボタン１１４と、後述する仕上がり確認画像の印刷を指示する際にユーザが操作する仕上がり確認印刷ボタン１１５とを有している。この操作パネル１０５は、例えば両面印刷や後処理などの機能を用いた画像形成の方法を設定するためのユーザによる各種の設定内容の入力を受け付けるインターフェースとして利用される。
【００１８】
両面印刷や後処理などの機能を用いて画像形成を行う場合、ユーザが所望する仕上がり状態で画像形成を行うためには、画像形成の方法を設定するための各種設定内容をユーザが正しく入力する必要がある。このとき、ユーザが入力した設定内容に対してどのような仕上がりが得られるかを表す仕上がりイメージをプレビュー画像として表示できれば、ユーザに設定内容の入力操作を適切に行わせることができる。しかしながら、本実施の形態にかかる複写機では、操作パネル１０５の表示部として文字や記号のみの表示が可能な安価なキャラクタディスプレイ１１１を採用しているため、仕上がりイメージをプレビュー画像として操作パネル１０５にて表示することができない。そこで、本実施の形態にかかる複写機では、操作パネル１０５に仕上がり確認印刷ボタン１１５を設け、ユーザがこの仕上がり確認印刷ボタン１１５を押下したときに、制御部１０６による制御のもとでプリンタ１０２が後述する仕上がり確認画像を印刷することによって、操作パネル１０５上でどのような設定内容が入力されるとどのような仕上がりとなるかを、仕上がり確認画像によって確認できるようにしている。
【００１９】
制御部１０６は、ＣＰＵなどの演算装置を備えて構成され、画像形成プログラムに従って複写機の各部を制御して、印刷の基本動作や、両面印刷や後処理などの各種機能を実行する。また、制御部１０６は、操作パネル１０５に設けられた仕上がり確認印刷ボタン１１５が押下されたときに、操作パネル１０５で入力を受け付ける状態にある設定内容と、その設定内容で画像形成を行った場合の仕上がりイメージとを対応付けて表す仕上がり確認画像をプリンタ１０２に印刷させる制御を行う。
【００２０】
ＲＯＭ１０７には、制御部１０６のＣＰＵが実行する各種の画像形成プログラムのプログラムコードや、各種の画像形成プログラムを実行させるための各種データが記憶されている。また、ＲＡＭ１０８は、制御部１０６が各種の画像形成プログラムを実行するためのワークメモリとして利用される。
【００２１】
（両面印刷の場合の設定内容）
次に、両面印刷を行う場合を例に挙げて、操作パネル１０５を用いてユーザが入力する設定内容の具体例について、さらに詳細に説明する。
【００２２】
図３は、両面印刷を行う場合の原稿読み取りと画像形成に関わる設定項目の一覧を示した図である。両面印刷を行う場合の原稿読み取りと画像形成に関わる設定項目としては、まず、「原稿面情報設定」として「原稿面」、「両面開き方向（原稿）」、「原稿セット方向」の３種の設定項目がある。また、「コピー出力面情報設定」として「コピー面」、「両面開き方向（コピー）」の２種の設定項目がある。
【００２３】
「原稿面」は、原稿のどの面をスキャナ１０１で読み取って画像形成を行うかを設定する項目であり、設定内容としては「片面」もしくは「両面」を設定する。
【００２４】
「両面開き方向（原稿）」は、両面原稿がどのように面付けされているかを設定する項目であり、設定内容としては「左右開き」もしくは「上下開き」を設定する。なお、「原稿面」の設定内容が「片面」の場合には、この「両面開き方向（原稿）」に関する設定は無視される。
【００２５】
「原稿セット方向」は、スキャナ１０１に原稿をどのようにセットしたかを設定する項目であり、設定内容としては「読める向き」もしくは「読めない向き」を設定する。これは、本実施の形態にかかる複写機が原稿の天地を判断するために用いられる。
【００２６】
「コピー面」は、記録紙のどの面に画像を形成（印刷）するかを設定する項目であり、設定内容としては「片面」もしくは「両面」を設定する。
【００２７】
「両面開き方向（コピー）」は、記録紙の両面にどのように面付けするかを設定する項目であり、設定内容としては「左右開き」もしくは「上下開き」を設定する。なお、「コピー面」の設定内容が「片面」の場合には、この「両面開き方向（コピー）」に関する設定は無視される。
【００２８】
以上のような各設定項目についての設定内容は、ユーザが図２に示した操作パネル１０５を用いて入力する。以下、この操作パネル１０５を用いた両面印刷に関する設定内容の入力の具体例について説明する。
【００２９】
操作パネル１０５のキャラクタディスプレイ１１１は、例えば図２に示すように、その表示領域が上段と下段に分離されている。そして、操作パネル１０５が両面印刷に関する設定内容の入力を受け付ける状態になると、キャラクタディスプレイ１１１の上段の表示領域に、まず「原稿面」の設定内容として選択可能な「片面」および「両面」が表示される。ユーザは、カーソルキー１１２の左右キーを操作して「片面」もしくは「両面」を選択し、Ｙｅｓボタン１１３を押下することで選択した設定内容を確定させる。なお、一度確定した設定内容を解除する場合には、Ｎｏボタン１１４を押下する。
【００３０】
次に、ユーザがカーソルキー１１２の下キーを操作してキャラクタディスプレイ１１１の下段の表示領域にカーソルを移動させ、カーソルキー１１２の左右キーを操作して右向き矢印の表示を選択してＹｅｓボタン１１３を押下すると、キャラクタディスプレイ１１１の上段の表示領域には、「原稿面」の次の設定項目である「両面開き方向（原稿）」の設定内容として選択可能な「上下開き」および「左右開き」が表示される。ユーザは、カーソルキー１１２の上キーを操作してキャラクタディスプレイ１１１の上段の表示領域にカーソルを戻し、左右キーを操作して「上下開き」もしくは「左右開き」を選択し、Ｙｅｓボタン１１３を押下することで選択した設定内容を確定させる。なお、キャラクタディスプレイ１１１の下段の表示領域に表示される左向きの矢印を選択してＹｅｓボタン１１３を押下した場合には、キャラクタディスプレイ１１１の上段の表示領域には前の設定項目の選択可能な設定内容が再度表示され、設定内容の再選択が可能となる。
【００３１】
次に、ユーザがカーソルキー１１２の下キーを操作してキャラクタディスプレイ１１１の下段の表示領域にカーソルを移動させ、カーソルキー１１２の左右キーを操作して右向き矢印の表示を選択してＹｅｓボタン１１３を押下すると、キャラクタディスプレイ１１１の上段の表示領域には、「両面開き方向（原稿）」の次の設定項目である「原稿セット方向」の設定内容として選択可能な「読める向き」および「読めない向き」が表示される。ユーザは、カーソルキー１１２の上キーを操作してキャラクタディスプレイ１１１の上段の表示領域にカーソルを戻し、左右キーを操作して「読める向き」もしくは「読めない向き」を選択し、Ｙｅｓボタン１１３を押下することで選択した設定内容を確定させる。
【００３２】
次に、ユーザがカーソルキー１１２の下キーを操作してキャラクタディスプレイ１１１の下段の表示領域にカーソルを移動させ、カーソルキー１１２の左右キーを操作して右向き矢印の表示を選択してＹｅｓボタン１１３を押下すると、キャラクタディスプレイ１１１の上段の表示領域には、「原稿セット方向」の次の設定項目である「コピー面」の設定内容として選択可能な「片面」および「両面」が表示される。ユーザは、カーソルキー１１２の上キーを操作してキャラクタディスプレイ１１１の上段の表示領域にカーソルを戻し、左右キーを操作して「片面」もしくは「両面」を選択し、Ｙｅｓボタン１１３を押下することで選択した設定内容を確定させる。
【００３３】
次に、ユーザがカーソルキー１１２の下キーを操作してキャラクタディスプレイ１１１の下段の表示領域にカーソルを移動させ、カーソルキー１１２の左右キーを操作して右向き矢印の表示を選択してＹｅｓボタン１１３を押下すると、キャラクタディスプレイ１１１の上段の表示領域には、「コピー面」の次の設定項目である「両面開き方向（コピー）」の設定内容として選択可能な「上下開き」および「左右開き」が表示される。ユーザは、カーソルキー１１２の上キーを操作してキャラクタディスプレイ１１１の上段の表示領域にカーソルを戻し、左右キーを操作して「上下開き」もしくは「左右開き」を選択し、Ｙｅｓボタン１１３を押下することで選択した設定内容を確定させる。
【００３４】
以上の一連の操作により、両面印刷に関する全ての設定項目の設定内容を確定させると、ユーザは、カーソルキー１１２の下キーを操作してキャラクタディスプレイ１１１の下段の表示領域にカーソルを移動させ、カーソルキー１１２の左右キーを操作してＹｅｓの表示を選択し、Ｙｅｓボタン１１３を押下する。これにより、両面印刷に関する設定内容の入力操作が終了し、制御部１０６による制御のもとで、入力された設定内容に従った両面印刷が実行される。
【００３５】
（仕上がり確認画像）
以上のような操作パネル１０５を用いた設定内容の入力を行う中で、ユーザが操作パネル１０５に設けられた仕上がり確認印刷ボタン１１５を押下すると、制御部１０６による制御のもとで、プリンタ１０２により、操作パネル１０５で入力を受け付ける状態にある設定内容と、その設定内容で画像形成を行った場合の仕上がりイメージとを対応付けて表す仕上がり確認画像が印刷される。
【００３６】
図４は、操作パネル１０５が両面印刷に関する設定内容の入力を受け付ける状態のときに操作パネル１０５に設けられた仕上がり確認印刷ボタン１１５が押下された場合にプリンタ１０２によって印刷される仕上がり確認画像の一例を示したものである。この図４に例示する仕上がり確認画像は、図３に示した各設定項目の選択可能な設定内容と、それぞれの設定内容が選択された場合の原稿イメージ及び仕上がりイメージを集約し、各設定内容とそれに対応する原稿イメージおよび仕上がりイメージを一覧表として表した画像となっている。ユーザは、操作パネル１０５を用いて設定内容の入力を行う場合に、操作パネル１０５に設けられた仕上がり確認印刷ボタン１１５を押下して図４のような仕上がり確認画像を印刷することによって、入力する設定内容に対する仕上がりイメージを確認することができ、所望の画像形成を行うための設定を容易に行うことが可能となる。
【００３７】
なお、図４に例示した仕上がり確認画像は、操作パネル１０５が入力を受け付ける状態にある全ての設定内容、つまり図３に示した各設定項目の選択可能な全ての設定内容と、それぞれの設定内容が選択された場合の原稿イメージ及び仕上がりイメージを集約した画像となっているが、すでに設定内容が確定した設定項目については確定した設定内容以外の設定内容を除外するようにしてもよい。例えば、ユーザが「原稿面」の設定内容を「両面」、「両面開き方向（原稿）」の設定内容を「上下開き」、「原稿セット方向」の設定内容を「読める向き」、「コピー面」の設定内容を「両面」にそれぞれ確定させた後、「両面開き方向（コピー）」の設定内容として「上下開き」と「左右開き」のどちらを選択するかを迷って仕上がり確認印刷ボタン１１５を押下した場合には、図４の設定Ｎｏ．１０および１１で示す部分のみを仕上がり確認画像として印刷するようにしてもよい。また、ユーザが全ての設定項目についての設定内容を確定させた後、キャラクタディスプレイ１１１下段のＹｅｓの表示を選択せずに仕上がり確認印刷ボタン１１５を押下した場合には、確定している設定項目とその設定項目で両面印刷を行った場合の仕上がりイメージのみを仕上がり確認画像として印刷するようにしてもよい。
【００３８】
図５は、仕上がり確認画像の印刷に関わる制御部１０６の機能構成を示す機能ブロック図である。制御部１０６は、仕上がり確認画像の印刷に関わる機能構成として、図５に示すように、ボタン操作判定部１２１と、仕上がり確認画像生成部１２２と、印刷制御部１２３とを備える。
【００３９】
ボタン操作判定部１２１は、操作パネル１０５に設けられた仕上がり確認印刷ボタン１１５が押下されたか否かを監視し、仕上がり確認印刷ボタン１１５が押下された場合に、仕上がり確認画像生成部１２２に対して画像生成指令を供給する。
【００４０】
仕上がり確認画像生成部１２２は、ボタン操作判定部１２１から画像生成指令が供給されると、仕上がり確認画像の画像データを生成して、生成した画像データを印刷制御部１２３に供給する。ここで、例えば図４に例示したように、操作パネル１０５が入力を受け付ける各設定項目についての選択可能な全ての設定内容に対応する仕上がりイメージを集約した仕上がり確認画像を印刷する場合は、複写機がサポートする両面印刷などの機能ごとの仕上がり確認画像の画像データを例えばＲＯＭ１０７などに予め格納しておき、仕上がり確認画像生成部１２２は、操作パネル１０５が設定内容の入力を受け付けている機能に対応する画像データを読み出して、その画像データをそのまま仕上がり確認画像の画像データとして使用すればよい。また、上述したように、設定内容が確定した設定項目について、確定した設定内容以外の設定内容を除外した仕上がり確認画像を印刷する場合には、仕上がり確認画像生成部１２２は、ＲＯＭ１０７などに予め格納された画像データを読み出し、操作パネル１０５が受け付けた設定内容に基づいて不要な部分を除外し、仕上がり確認画像の画像データを生成すればよい。なお、仕上がり確認画像に含まれる仕上がりイメージには任意の画像を用いることができるが、スキャナ１０１によってすでに原稿の画像が読み取られてその画像データが画像メモリ１０４に格納されている場合には、原稿の画像を用いて仕上がりイメージを生成するようにしてもよい。
【００４１】
印刷制御部１２３は、仕上がり確認画像生成部１２２から仕上がり確認画像の画像データが供給されると、この仕上がり確認画像の画像データを印刷指令とともにプリンタ１０２に対して出力する。これにより、プリンタ１０２によって仕上がり確認画像が記録紙に印刷され、出力される。
【００４２】
以上、具体的な例を挙げながら詳細に説明したように、本実施の形態にかかる複写機は、操作パネル１０５が入力を受け付ける各設定項目の設定内容と、該設定内容に従って画像形成を行った場合の仕上がりイメージとを対応付けて表す仕上がり確認画像を印刷して出力するようにしているので、操作パネル１０５に高精細な表示部を設けることなく、入力する設定内容に対する仕上がりイメージをユーザに確認させることができ、所望の画像形成を行うための設定を容易に行えるようにすることができる。
【００４３】
また、本実施の形態にかかる複写機は、ユーザが設定内容の入力に利用する操作パネル１０５に仕上がり確認印刷ボタン１１５を設け、この仕上がり確認印刷ボタン１１５が押下されたときに、操作パネル１０５で設定内容の入力を受け付けている機能についての仕上がり確認画像を印刷して出力するようにしているので、良好な操作性を実現することができる。
【００４４】
また、本実施の形態にかかる複写機は、操作パネル１０５が入力を受け付ける各設定項目についての選択可能な全ての設定内容に対応する仕上がりイメージを集約した仕上がり確認画像を印刷することで、どの設定項目をどのような設定内容にすれば所望の画像形成を行うことができるかを総体的にユーザに把握させることができ、特に設定項目が多い機能の設定入力操作を効果的に補助することができる。
【００４５】
以上説明した本実施の形態にかかる複写機においては、スキャナ１０１が特許請求の範囲に記載の「取得手段」に相当し、プリンタ１０２が特許請求の範囲に記載の「画像形成手段」に相当する。また、操作パネル１０５が特許請求の範囲に記載の「入力手段」に相当し、操作パネル１０５に設けられたカーソルキー１１２、Ｙｅｓボタン１１３、Ｎｏボタン１１４が特許請求の範囲に記載の「第１の操作部」、仕上がり確認印刷ボタン１１５が特許請求の範囲に記載の「第２の操作部」に相当する。また、制御部１０６（ボタン操作判定部１２１、仕上がり確認画像生成部１２２、印刷制御部１２３）およびプリンタ１０２が特許請求の範囲に記載の「仕上がり確認画像印刷手段」に相当する。
【００４６】
なお、上記実施の形態では、本発明を複写機に適用した例について説明したが、本発明は、複写機に限らず、プリンタやファクシミリ装置、複合機など、原稿の画像データを取得して画像データに基づいて画像を形成する機能を有する各種の画像形成装置に対して広く適用することができる。また、上記実施の形態として開示した技術事項は、本発明の好ましい適用例を例示したものであり、本発明の技術的範囲が上記実施の形態として開示した技術事項に限定されるものではない。本発明の技術的範囲は、上記実施の形態として開示した具体的な技術事項に加え、本発明の趣旨を逸脱しない範囲において容易に想到し得る様々な変形例、代替技術を含むものである。
【産業上の利用可能性】
【００４７】
以上のように、本発明は、画像形成装置における画像形成の方法を設定するための設定内容の入力を容易に行えるようにする技術として有用である。
【符号の説明】
【００４８】
１０１  スキャナ
１０２  プリンタ
１０３  画像処理部
１０４  画像メモリ
１０５  操作パネル
１０６  制御部
１０７  ＲＯＭ
１０８  ＲＡＭ
１１１  キャラクタディスプレイ
１１２  カーソルキー
１１３  Ｙｅｓボタン
１１４  Ｎｏボタン
１１５  仕上がり確認印刷ボタン
１２１  ボタン操作判定部
１２２  仕上がり確認画像生成部
１２３  印刷制御部
【図１】
0005516205.tif 000002
【図２】
0005516205.tif 000003
【図３】
0005516205.tif 000004
【図４】
0005516205.tif 000005
【図５】
0005516205.tif 000006